(57)【要約】【課題】外部から入力した割り込み情報を適切な順序やタイミングにて提示する。【解決手段】情報提示制御装置１は、メニュー構造変更・保存部１６にメニュー情報を記憶しておき、操作入力判断部１１により判断した車両に乗車するユーザの操作内容に従って、表示メニュー作成部１２によって操作メニューを表示するための表示データを作成することで、車両に搭載された機器の処理の選択を促す操作メニューを表示装置３に表示して、処理を選択させる。このように操作メニューを表示させているときにおいて、割込情報解析部１３にて外部からの割り込み情報を入力すると、情報割込処理部１５により、表示させている操作メニューから処理実行用メニュー項目を選択するまでの操作完了時間を推定する。そして、情報割込処理部１５では、割り込み情報の内容及び推定された操作完了時間に基づいて、操作メニューに代えて割り込み情報を提示するか否かを決定する。【選択図】      図１
2004251757.tif 000002
【特許請求の範囲】
【請求項１】
車両に搭載された機器の処理を選択させるに際して、処理の選択を促す操作メニューを表示装置に表示する車両用情報提示制御装置において、
車両に乗車するユーザの操作内容を判断する操作内容判断手段と、
一画面内に表示される複数の処理選択用メニュー項目からなる操作メニューを複数階層に亘って登録し、当該操作メニューの最下位層に上記機器の処理を示す複数の処理実行用メニュー項目からなる操作メニューを登録してなるメニュー情報を記憶する記憶手段と、
上記操作内容判断手段により判断した操作内容に応じて、上記記憶手段に記憶されている操作メニューを表示するための表示データを作成する表示メニュー作成手段と、
上記表示装置に表示させている操作メニューから上記処理実行用メニュー項目を選択するまでの操作完了時間を推定する操作完了推定手段と、
外部からの割り込み情報を入力する割り込み情報入力手段と、
上記表示メニュー作成手段にて操作メニューを提示しているときに、上記割り込み情報入力手段にて割り込み情報を入力した場合に、割り込み情報の内容及び上記操作完了推定手段にて推定された操作完了時間に基づいて、操作メニューに代えて割り込み情報を提示するか否かを決定して、操作メニュー又は割り込み情報を提示する提示制御手段と
を備えることを特徴とする車両用情報提示制御装置。
【請求項２】
上記提示制御手段は、割り込み情報の内容として、当該割り込み情報の提示地点を認識し、車両の位置情報及び速度情報から車両が提示地点に到着するまでの到着時間を計算し、当該到着時間が操作完了時間よりも短い場合に割り込み情報を提示し、到着時間が操作完了時間よりも長い場合に割り込み情報の提示を操作完了まで遅らせることを特徴とする請求項１に記載の車両用情報提示制御装置。
【請求項３】
上記提示制御手段は、車両が目的地に到着するための第１の推奨ルートを走行することを促す割り込み情報の提示地点までの到着時間を車両の位置情報及び速度情報から計算し、当該到着時間が操作完了時間よりも短い場合に、第１の推奨ルートを走行するための案内に従わずに車両が走行したときの目的地までの推奨ルートを計算して第２の推奨ルートを作成し、第１の推奨ルートを走行した場合の走行距離と第２の推奨ルートを走行した場合の走行距離との距離差が所定距離よりも小さい場合に、割り込み情報の提示を操作完了まで遅らせることを特徴とする請求項１に記載の車両用情報提示制御装置。
【請求項４】
上記提示制御手段は、提示している操作メニューに含まれる処理選択用メニュー項目を選択してから上記処理実行用メニュー項目を選択する操作をするまでの操作回数に基づいて、割り込み情報を提示した後に提示する操作メニューを、割り込み情報を提示する直前に提示していた操作メニュー、又は最上位層の操作メニューとすることを特徴とする請求項１に記載の車両用情報提示制御装置。
【請求項５】
上記提示制御手段は、割り込み情報を提示して最上位層の操作メニューを提示した後に、当該最上位層の操作メニューから割り込み情報を提示する直前に提示していた操作メニューまで順次提示することを特徴とする請求項４に記載の車両用情報提示制御装置。
【請求項６】
上記提示制御手段は、上記処理実行用メニュー項目が選択された後に第１の情報を提示している場合に、第２の情報を提示するための割り込み情報を上記割り込み情報入力手段により入力したときには、第１の情報の提示完了時間に基づいて、第２の情報を提示するための割り込み情報を提示するか否かを決定することを特徴とする請求項１に記載の車両用情報提示制御装置。
【請求項７】
上記提示制御手段は、車両が目的地に到着するための第１の推奨ルートを走行することを促す割り込み情報の提示地点までの到着時間を車両の位置情報及び速度情報から計算し、当該到着時間が第１の情報の提示完了時間よりも短い場合に、第１の推奨ルートを走行するための案内に従わずに車両が走行したときの目的地までの推奨ルートを計算して第２の推奨ルートを作成し、第１の推奨ルートを走行した場合の走行距離と第２の推奨ルートを走行した場合の走行距離との距離差が所定距離よりも小さい場合に、第２の情報の提示を第１の情報の提示完了まで遅らせることを特徴とする請求項６に記載の車両用情報提示制御装置。
【請求項８】
上記提示制御手段は、上記第１の情報に代えて第２の情報を提示した場合に、上記第２の情報を提示するために必要とされる提示時間に基づいて、第２の情報を提示する直前に提示していた第１の情報の途中から提示する処理、又は第１の情報を最初から提示する処理を行うことを特徴とする請求項６に記載の車両用情報提示制御装置。
【発明の詳細な説明】
【０００１】
【発明の属する技術分野】
本発明は、車両に搭載された機器の処理を選択させるに際して、処理の選択を促す操作メニューを表示装置に表示すると共に、外部からの割り込み情報を提示する車両用情報提示制御装置に関する。
【０００２】
【従来の技術】
従来より、下記の特許文献１に記載されているような情報提示制御装置が知られている。この情報提示制御装置では、提示すべき情報が複数存在する場合に、各情報の評価値を算出して比較し、複数の情報を提示する順序や、提示タイミングを決定している。
【０００３】
【特許文献１】
特開２０００−５５６９１号公報
【０００４】
【発明が解決しようとする課題】
しかしながら、上述した従来の情報提示制御装置では、各情報についての評価値を比較して提示するので、提示順序や提示タイミングを決定した後に割り込み情報を入力した場合には言及されておらず、当該割り込み情報の有用性を失わせずに提示することが困難である。
【０００５】
そこで、本発明は、上述した実情に鑑みて提案されたものであり、外部から入力した割り込み情報を適切な順序やタイミングにて提示することができる車両用情報提示制御装置を提供することを目的とする。
【０００６】
【課題を解決するための手段】
本発明に係る車両用情報提示制御装置は、予め記憶手段に、一画面内に表示される複数の処理選択用メニュー項目からなる操作メニューを複数階層に亘って登録し、当該操作メニューの最下位層に上記機器の処理を示す複数の処理実行用メニュー項目からなる操作メニューを登録してなるメニュー情報を記憶しておき、操作内容判断手段により判断した車両に乗車するユーザの操作内容に従って、表示メニュー作成手段によって記憶手段に記憶されている操作メニューを表示するための表示データを作成することで、車両に搭載された機器の処理の選択を促す操作メニューを表示装置に表示して、処理を選択させる。
【０００７】
このように操作メニューを表示装置に表示させているときにおいて、本発明に係る車両用情報提示制御装置では、割り込み情報入力手段にて外部からの割り込み情報を入力すると、操作完了推定手段により、表示装置に表示させている操作メニューから処理実行用メニュー項目を選択するまでの操作完了時間を推定する。そして、提示制御手段では、割り込み情報の内容及び操作完了推定手段にて推定された操作完了時間に基づいて、操作メニューに代えて割り込み情報を提示するか否かを決定して、操作メニュー又は割り込み情報を提示することで、上述の課題を解決する。
【０００８】
【発明の効果】
本発明に係る車両用情報提示制御装置によれば、操作メニューに従ってユーザが操作しているときに、割り込み情報が存在する場合、割り込み情報の内容及び操作完了時間によって割り込み情報の提示をするので、提示すべき情報が複数存在する場合において割り込み情報を適切な順序やタイミングにて提示することができる。したがって、この車両用情報提示制御装置によれば、メニュー操作中に、割り込み情報を提示するまでに時間の余裕のあるときに、割り込み情報によってユーザの操作を妨げることを回避することができる。
【０００９】
【発明の実施の形態】
以下、本発明の第１実施形態〜第４実施形態について図面を参照して説明する。
【００１０】
［第１実施形態］
本発明は、例えば図１に示すように構成された情報提示装置に適用される。
【００１１】
［第１実施形態に係る情報提示装置の構成］
この情報提示装置は、図１に示すように、例えば自動車等の車両に搭載され、車載コンピュータからなる情報提示制御装置１によって提示すべき情報を管理し、操作入力装置２の操作に従い、表示装置３や音声提示装置４を駆動制御して各種情報をユーザに提示するものである。また、この情報提示装置は、情報提示制御装置１、情報提示制御装置１に接続された割込情報出力装置５、ルート探索部６及び車速検出部７が例えばインストルメントパネル内に収容されると共に、操作入力装置２がユーザから操作可能な位置に設けられ、更に表示装置３がユーザから視認可能な位置、音声提示装置４がユーザに音声提示可能な位置に配設されて構成されている。
【００１２】
操作入力装置２は、例えばジョイスティックや複数の押しボタンスイッチ、ジョグダイヤル等で構成されるスイッチボックスからなる。この操作入力装置２は、ユーザに操作されることに応じて、操作内容を示す操作入力信号を情報提示制御装置１に送る。
【００１３】
車速検出部７は、例えば車両の車輪速センサであり、車速に対応する値を車速信号として情報提示制御装置１に出力する。
【００１４】
表示装置３及び音声提示装置４は、各種情報をユーザに提示する情報提示手段として機能する。表示装置３は、例えば液晶ディスプレイからなり、地図データ等のナビゲーション画面や、車両に搭載されたルート探索部６やオーディオ装置、通信装置等の処理をユーザに選択させるための操作メニューを表示する。この操作メニューは、一画面内に表示させるメニュー項目が例えば４個に限定されている。また、音声提示装置４は、スピーカ装置などからなる。
【００１５】
ルート探索部６は、例えば、地図データを記憶する記憶機能、ＧＰＳ（Ｇｌｏｂａｌ  Ｐｏｓｉｔｉｏｎｉｎｇ  Ｓｙｓｔｅｍ）衛星からのＧＰＳ信号を受信して車両位置を検出する位置検出機能、現在の車両位置及び目的地に基づいて推奨ルートを探索するルート探索機能、探索された推奨ルートに沿った車両走行を促すルートガイダンス機能を有するナビゲーションシステムからなる。このルート探索部６は、例えば自車位置情報、推奨ルート情報や目的地情報を含む地図データを割込情報出力装置５を介して情報提示制御装置１に送る。
【００１６】
また、このルート探索部６は、車両走行時においては、変化する車両位置に応じてルートガイダンス情報を割り込み情報として割込情報出力装置５に送って情報提示制御装置１に出力させる。このルートガイダンス情報としては、例えば交差点や有料道路入口、幹線道路までの距離、交差点における進行方向などがある。更に、ルート探索部６は、車両位置に応じて、地図データに記憶されたＰｏｉ（Ｐｏｉｎｔ  ｏｆ  ｉｎｔｅｒｅｓｔ）情報を割り込み情報として割込情報出力装置５に送る。なお、このＰｏｉ情報は、地図データに記憶されたものに限らず、図示しない通信装置にて外部から受信したものであっても良い。
【００１７】
割込情報出力装置５は、ルートガイダンス情報、図示しない通信装置にて受信した電子メール情報、Ｐｏｉ（Ｐｏｉｎｔ  ｏｆ  ｉｎｔｅｒｅｓｔ）情報、渋滞情報等を割り込み情報として入力すると、当該割り込み情報を情報提示制御装置１に送る。
【００１８】
情報提示制御装置１は、ＣＰＵ（Ｃｅｎｔｒａｌ  Ｐｒｏｃｅｓｓｉｎｇ  Ｕｎｉｔ）や記憶機構から構成され、記憶機構に記憶された情報提示プログラムをＣＰＵにて実行することで、図１に示すような各機能を有する。すなわち、情報提示制御装置１は、情報提示プログラムにて実現される機能として操作入力判断部１１、表示メニュー作成部１２、割込情報解析部１３、割込判断部１４、情報割込処理部１５を有し、更に、記憶機構により実現されるメニュー構造変更・保存部１６を有する。
【００１９】
操作入力判断部１１は、操作入力装置２からの操作入力信号が入力されると、操作内容を判断する。操作入力判断部１１は、操作内容が操作メニューの構造を変化させる種類であると判断した場合には、当該操作内容を示す操作内容判断情報をメニュー構造変更・保存部１６に送る。また、操作入力判断部１１は、操作内容が操作メニューを遷移させる種類であると判定した場合には、当該操作内容を示す操作内容判断情報を表示メニュー作成部１２に送る。更に、操作入力判断部１１は、操作内容が車両に搭載された各種機器に処理実行させる種類であると判定した場合には、図示しない機器に処理実行命令を送る。
【００２０】
メニュー構造変更・保存部１６は、例えばＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）等を有し、操作メニューの内容が階層的にツリー構造にて構築されたフルメニューを示すフルメニュー情報が記憶されている。
【００２１】
フルメニュー情報は、最上位層の第１階層（メインメニュー）〜最下位層の第６階層にて構成されている。このフルメニュー情報は、最下位層である第６階層が処理の実行を決定する処理実行用メニュー項目にて構成され、第１階層〜第５階層が第６階層の処理実行用メニュー項目を選択するための途中の処理選択用メニュー項目となっている。また、このフルメニューは、一画面にて４個のメニュー項目を操作メニューとして一画面内に表示するように構成されている。なお、第６階層のみならず、第２階層〜第５階層にも処理実行用メニュー項目が最下位層として設定されていても良い。
【００２２】
また、メニュー構造変更・保存部１６は、操作入力判断部１１から操作内容判断情報が入力されることに応じて、フルメニュー情報の構造を変更した変更メニュー情報を作成する。この変更メニュー情報は、フルメニューに対して階層数が制限されて構築されており、メニュー構造変更・保存部１６により各階層における処理実行用メニュー項目及び処理選択用メニュー項目が決定されて記憶される。
【００２３】
表示メニュー作成部１２は、操作入力判断部１１からの操作内容判断情報に基づいて表示装置３にて表示させる操作メニューを認識して、当該操作メニューを表示するためのメニュー項目表示データをメニュー構造変更・保存部１６から読み出して、情報割込処理部１５に送る。また、表示メニュー作成部１２は、メニュー項目表示データと共に、当該メニュー項目表示データにて表示させる操作メニューの階層数を示す階層数情報を情報割込処理部１５に送る。なお、階層数情報としては、現在の階層数を示す情報であっても良く、処理実行用メニュー項目に到達するまでの残階層数であっても良い。
【００２４】
割込情報解析部１３は、割込情報出力装置５から割り込み情報が送られると、割り込み情報の内容を解析し、ルートガイダンス情報やＰｏｉ情報等の提示地点が指定された情報である場合に当該割り込み情報を割込判断部１４に送る。このとき、割込情報解析部１３は、割り込み情報に含まれ、当該割り込み情報の種類を示す属性情報等を判断する。
【００２５】
割込判断部１４では、割込情報解析部１３からルートガイダンス情報又はＰｏｉ情報の割り込み情報が入力されると、当該割り込み情報に含まれる提示位置情報、及びルート探索部６にて検出している車両位置情報を取得する。そして、割込判断部１４では、割り込み情報を提示するまでの距離を演算し、提示位置に到着するまでの到着時間を車速検出部７からの車速信号を用いて求めて情報割込処理部１５に送る。
【００２６】
情報割込処理部１５は、表示メニュー作成部１２からの階層数情報に基づいてユーザが処理実行用メニュー項目を選択するまでの操作完了時間を推定し、当該操作完了時間と割込判断部１４から送られた到着時間との大小比較して、割り込み情報又はメニュー項目表示データの何れかを表示装置３又は音声提示装置４に送って情報を提示する。このとき、情報割込処理部１５は、画像として提示する割り込み情報と判定した場合には表示データを表示装置３に送り、音声として提示する割り込み情報と判定した場合には音声データを音声提示装置４に送る。
【００２７】
また、この情報割込処理部１５では、割込情報解析部１３にて割り込み情報がユーザとって必要な情報か否かを判定するための重大度や、情報提示を緊急に行うか否かを判定するための緊急度のパラメータを割込判断部１４を介して取得し、当該パラメータと、操作時間と到着時間との大小比較結果との双方に基づいて、割り込み情報を提示しても良い。具体的には、情報割込処理部１５は、操作時間と到着時間との大小比較結果より、操作時間と到着時間との差が小さい場合に緊急度や重大度が高いときには、緊急度及び重大度に従って割り込み情報を提示する。
【００２８】
［第１実施形態に係る情報提示装置の動作］
つぎに、上述したように構成された情報提示装置の動作について図２のフローチャートを参照して説明する。
【００２９】
先ず、情報提示装置ではユーザにより操作入力装置２が操作されて、操作入力信号を操作入力判断部１１にて入力したことに応じ（ステップＳ１）、ステップＳ２に処理を進めて、操作入力信号にて示される操作内容を操作入力判断部１１により判断し、操作内容判断情報を表示メニュー作成部１２又はメニュー構造変更・保存部１６に出力してステップＳ３に処理を進める。
【００３０】
ステップＳ３においては、割込情報解析部１３により、割込情報出力装置５からの割り込み情報を入力したか否かを判定すると共に、入力した割り込み情報が表示装置３に表示すべき情報であるか否かを判定する。
【００３１】
割込情報解析部１３では、表示装置３に表示すべき割り込み情報がないと判定した場合にはステップＳ４に処理を進める一方で、表示装置３に表示すべき割り込み情報があると判定した場合にはステップＳ６、及びステップＳ７〜ステップＳ９の処理を実行する。ここで、割込情報解析部１３では、ルートガイダンス情報を現在表示すべき割り込み情報とし、Ｅメール情報等を現在表示すべき割り込み情報でないとする。
【００３２】
ステップＳ４においては、表示メニュー作成部１２により、ステップＳ２にて判定した操作内容情報に基づいてメニュー構造変更・保存部１６からメニュー項目表示データを読み出して、情報割込処理部１５に送ってステップＳ５に処理を進める。
【００３３】
ステップＳ５においては、情報割込処理部１５により表示メニュー作成部１２からのメニュー項目表示データを表示装置３に送ることで、ステップＳ１にて表示していた操作メニューから下位層に遷移した操作メニューを表示させてステップＳ１に処理を戻す。
【００３４】
一方、ステップＳ６においては、情報割込処理部１５により、表示メニュー作成部１２からの階層数情報に基づいて、ステップＳ１にて操作された後から処理実行用メニュー項目を選択するまでのステップ数（操作回数）を認識し、当該ステップ数に１回の操作をするのに要すると推定される操作時間（例えば２秒）を乗算して、残ステップの操作完了時間を計算する。これにより、情報割込処理部１５では、ユーザが操作完了するまでの操作完了時間を推定する。ここで、１回の操作をするのに要すると推定される操作完了時間は、予め設定されている値や操作履歴から演算される平均の操作時間等を使用する。
【００３５】
また、ステップＳ７においては、割込情報解析部１３により、割り込み情報を解析する処理をすることで割り込み情報の提示地点までの距離を抽出し、ステップＳ８においては割込判断部１４により車速信号を取得し、更にステップＳ９においては、割込判断部１４により、ルート探索部６にて求めた車両の位置情報、ステップＳ７にて抽出した距離及びステップＳ８にて取得した車速信号から提示地点に到着するための到着時間を求める。
【００３６】
次にステップＳ１０においては、情報割込処理部１５により、ステップＳ６にて演算された操作完了時間と、ステップＳ９にて演算された到着時間とを大小比較して到着時間が操作完了時間以上であるか否かを判定する。情報割込処理部１５では、到着時間が操作時間以上でないと判定した場合には、ステップＳ４に処理を進めてステップＳ２にて判断した操作内容に従って表示メニュー作成部１２からのメニュー項目表示データを表示装置３に送って操作メニューを表示させる。すなわち、ユーザの操作に従った操作メニューの提示タイミングに対して、提示すべき割り込み情報の提示タイミングを遅らせる。
【００３７】
一方、到着時間が操作時間以上であると判定した場合には、ステップＳ１１に処理を進め、割り込み情報を画面表示するための表示データを作成し、ステップＳ１２にて情報割込処理部１５により表示データを表示装置３に送って割り込み情報を表示させてステップＳ３に処理を戻す。すなわち、ユーザの操作に従った操作メニューに代えて、提示すべき割り込み情報を提示する。
【００３８】
これにより、情報提示制御装置１では、ステップＳ３にて表示すべき割り込み情報がないと判定するまでステップＳ６からステップＳ１２の処理を繰り返し、表示すべき割り込み情報がないと判定したらステップＳ２にて判断した操作内容に従った操作メニューを表示させる。
【００３９】
［第１実施形態の効果］
以上詳細に説明したように、第１実施形態に係る情報提示装置によれば、操作メニューに従ってユーザが操作しているときに、表示すべき割り込み情報が存在する場合、操作完了時間が到着時間よりも短い場合には割り込み情報の提示をするので、提示すべき情報が複数存在する場合において割り込み情報を適切な順序やタイミングにて提示することができる。具体的には、この情報提示装置によれば、ユーザがメニュー操作をしているときに、ルートガイダンスの割り込みが入った場合には、操作完了時間内にルートガイダンスの提示地点に到着する場合（例えば、５０ｍ先の有料道路入り口の案内、５０ｍ先の幹線道路に入る案内など）のみ割り込みを許可し、それ以外の割り込み情報（例えば、１ｋｍ先の有料道路入り口の案内、１ｋｍ先の幹線道路に入る案内、この先道なりですの案内、Ｅメールの着信など）には、操作終了まで割り込み情報の提示タイミングを遅らせることができる。
【００４０】
したがって、この情報提示装置によれば、メニュー操作中に、ルートガイダンスを提示するまでに時間の余裕のあるルートガイダンスが割り込んできて、ユーザの操作を妨げることを回避することができる。
【００４１】
［第２実施形態］
つぎに、第２実施形態に係る情報提示装置について説明する。なお、上述の第１実施形態と同様の部分については同一符号、同一ステップ番号を付することによりその詳細な説明を省略する。
【００４２】
［情報提示装置の構成］
第２実施形態に係る情報提示装置は、図３に示すように、ルート探索部６にて探索された現在の推奨ルートに従って走行した場合の走行距離と、自車両が推奨ルートから外れて走行した場合にルート探索部６にて再探索される推奨ルート（以下、リルートと呼ぶ。）に従って走行した場合の走行距離とを比較するルート距離比較部２１を情報提示制御装置２０に備える点で、第１実施形態に係る情報提示装置とは異なる。このような情報提示制御装置２０では、ルート距離比較部２１にて比較したときの比較結果に基づき、現在の推奨ルートを走行して目的地に到着するまでの距離と、リルートを走行して目的地に到着するまでの距離とが略同一距離でない場合に、割り込み情報を提示することを特徴とする。
【００４３】
このような情報提示制御装置２０では、図４に示すように、ステップＳ１０において、ステップＳ９にて計算された到着時間と、ステップＳ６にて計算された操作完了時間とを情報割込処理部１５にて比較した結果、到達時間が操作完了時間より短い場合にステップＳ２１に処理を進める。
【００４４】
ステップＳ２１においては、ステップＳ１０での比較結果をルート距離比較部２１により得て、ルート距離比較部２１により、推奨ルートを外れたリルートを探索するようにルート探索部６を制御して、ステップＳ２２に処理を進める。これにより、ルート探索部６では、次のルートガイダンスを提示せずに自車両が直進した場合に目的地に到着するまでのリルートを探索する。
【００４５】
ステップＳ２２においては、ルート距離比較部２１により、リルートを走行した場合の目的地までの走行距離（リルート距離）及び現在の推奨ルートを走行した場合の目的地までの走行距離（現ルート距離）を得て、当該２つの走行距離が略同一か否かを判定する。ルート距離比較部２１では、略同一であると判定した場合にはステップＳ４に処理を進め、略同一でないと判定した場合にはステップＳ１１以降に処理を進める。
【００４６】
すなわち、情報提示制御装置２０では、ユーザが操作をしているときに割り込み情報が存在する場合には、ルートガイダンス等の提示地点を通過してリルートを走行したときの距離が、現在の推奨ルートよりも著しく長くなる場合には操作を中断させて割り込み情報の提示をする。
【００４７】
このように、第２実施形態に係る情報提示装置によれば、操作完了時間内に提示地点に到着するルートガイダンスの割り込みが入った場合、割り込み情報のルートガイダンスに従わずに走行した場合のリルートを再計算し、もとの推奨ルートの走行距離とリルートの走行距離との差が小さい場合には操作終了まで割り込みを遅らせることにより、ユーザの意思で無視しても問題のないルートガイダンスが割り込んできて、ユーザの操作を妨げるのを軽減することができる。
【００４８】
［第３実施形態］
つぎに、第３実施形態に係る情報提示装置について説明する。なお、上述の実施形態と同様の部分については同一符号、同一ステップ番号を付することによりその詳細な説明を省略する。また、第３実施形態に係る情報提示装置は、図１に示して説明した第１実施形態に係る情報提示装置と同一の構成であり、この説明を省略する。
【００４９】
この第３実施形態に係る情報提示装置は、図５に示すように、処理実行用メニュー項目を選択した後に、ステップＳ３１にて情報割込処理部１５により表示装置３を駆動して音声情報を提供しているときに（ステップＳ３１）、現在表示すべき割り込み情報が存在しているか否かを判定し（ステップＳ３）、ステップＳ３２、上述のステップＳ７〜ステップＳ９の処理を行う。
【００５０】
ステップＳ３２においては、情報割込処理部１５により、ステップＳ３１にて音声情報の提供を開始してからの残再生時間を計算する。そして、ステップＳ３３では、ステップＳ９にて計算された到達時間が、ステップＳ３２にて計算された残再生時間以下であると判定した場合にステップＳ３４に処理を進める。一方、到達時間が残再生時間よりも長いと判定した場合にはステップＳ３１に処理を戻して、音声情報の提示を継続させる。
【００５１】
ステップＳ３４においては、情報割込処理部１５により、割り込み情報を提示するために音声情報の提供を一時停止するように音声提示装置４を停止させ、ステップＳ１１に処理を進めて、割り込み情報を提示するように表示装置３を駆動して再度ステップＳ３以降の処理を進める。
【００５２】
このように、第３実施形態に係る情報提示装置によれば、音声情報を再生している場合であっても、音声再生終了まで割り込みを遅らせることができ、ユーザがメニュー操作を終了して音声情報を聞いているときにも、ルートガイダンス等の割り込み情報を提示して、ユーザの操作して提供している音声情報を中断させるのを回避することができる。
【００５３】
具体的には、この情報提示装置によれば、メニュー操作が終了して、例えば交通情報や、観光案内等をＴＴＳやリアルボイス等の音声で提示している場合であっても、音声提供状況に応じて音声終了まで割り込み情報の提示タイミングを遅らせることができる。
【００５４】
また、この第３実施形態では、音声を再生しているときに表示装置３に表示する割り込み情報が入力された場合について説明志賀、ルートガイダンス等の音声を提示する割り込み情報であっても、同様の処理をすることで、割り込み情報の提示タイミング及び提示順序を制御して同様の効果を得ることができる。
【００５５】
［第４実施形態］
つぎに、第４実施形態に係る情報提示装置について説明する。なお、上述の実施形態と同様の部分については同一符号、同一ステップ番号を付することによりその詳細な説明を省略する。また、第４実施形態に係る情報提示装置は、図１に示して説明した第１実施形態に係る情報提示装置と同一の構成であり、この説明を省略する。
【００５６】
この第４実施形態に係る情報提示装置は、図６に示すように、ステップＳ１０にて到達時間が操作完了時間以上であると判定した後のステップＳ４１において、操作入力判断部１１により、ステップＳ１にてユーザにより行われ、ステップＳ２にて判断した操作内容を保存する。ここで、操作入力判断部１１では、ステップＳ１にてなされた操作内容のみならず、以前の処理にてなされた操作内容をも保存することで、複数の操作内容からなる操作経歴を保存することになる。そして、情報提示制御装置１では、ステップＳ１１及びステップＳ１２にて割り込み情報の提示をして、ステップＳ４２に処理を進める。
【００５７】
ステップＳ４２においては、情報割込処理部１５により、ステップＳ１２にて割り込み情報の提示が終了した後に、割り込み情報の提示時間を求めて、割り込み情報の提示時間が予め設定した所定時間よりも長いか否かを判定する。ここで、所定時間は、割り込み情報を提示することで、ステップＳ１にてメニュー操作していた操作内容をユーザが記憶可能な程度の時間が設定されている。すなわち、このステップＳ４２においては、割り込み情報の提示時間が、ユーザが記憶可能な時間より長いか否かを判定し、長いと判定した場合にはステップＳ４３に処理を進め、長くないと判定した場合にはステップＳ３に処理を戻してステップＳ２にて判定した操作内容に従った操作メニュー等を提示することで、途中の操作メニューから提示を再開させる。
【００５８】
ステップＳ４３においては、表示メニュー作成部１２により最上位層のメインメニューを表示し、ステップＳ４４においては、表示メニュー作成部１２によりステップＳ４１にて保存した操作経歴を呼び出す。
【００５９】
次のステップＳ４５においては、表示メニュー作成部１２により、メインメニューを表示装置３に表示させた状態から、ステップＳ４１にて読み出した操作経歴に従って順次操作メニューを表示させる。これにより、情報提示制御装置１では、メインメニューから、以前の操作内容に従った操作メニューを再現させて、最終的に割り込み情報を提示する直前の操作メニューを表示させて、ステップＳ３に処理を戻す。
【００６０】
このような第４実施形態に係る情報提示装置によれば、割り込み情報を提示するのに必要とした時間が、割り込み情報を提示する直前に表示していた操作メニューをユーザが記憶している時間より長い場合に、割り込み情報の提示終了後にのユーザの操作を再現して、割り込み情報を提示する直前の操作メニューを表示させるので、割り込み情報の提示時間が長時間に及んでユーザが操作内容を忘れる可能性がある場合であっても、操作経歴をユーザに思い出させることができ、割り込み情報を提示した後のユーザの操作をスムーズに再開させることができる。
【００６１】
また、この情報提示装置によれば、割り込み情報の提示時間が短時間で終了した場合には、割り込み情報の提示終了後に操作途中のメニューに直接復帰させることができる。
【００６２】
なお、この第４実施形態では、割り込み情報の提示時間に応じて、割り込み情報を提示する直前に提示していた操作メニュー又はメインメニューを提示する場合について説明したが、これに限らず、音声情報に代えて音声の割り込み情報を提示した場合、割り込み情報の提示時間が長い場合には、音声情報の最初から提示し、割り込み情報を提示した提示時間が短い場合には割り込み情報を提示する直前に提示していた音声情報の途中から提示しても、上述と同様の効果を得ることができる。
【００６３】
また、上述の実施の形態は本発明の一例である。このため、本発明は、上述の実施形態に限定されることはなく、この実施の形態以外であっても、本発明に係る技術的思想を逸脱しない範囲であれば、設計等に応じて種々の変更が可能であることは勿論である。
【図面の簡単な説明】
【図１】本発明を適用した第１実施形態に係る情報提示装置の構成を示すブロック図である。
【図２】本発明を適用した第１実施形態に係る情報提示装置により行う動作手順を示すフローチャートである。
【図３】本発明を適用した第２実施形態に係る情報提示装置の構成を示すブロック図である。
【図４】本発明を適用した第２実施形態に係る情報提示装置により行う動作手順を示すフローチャートである。
【図５】本発明を適用した第３実施形態に係る情報提示装置により行う動作手順を示すフローチャートである。
【図６】本発明を適用した第４実施形態に係る情報提示装置により行う動作手順を示すフローチャートである。
【符号の説明】
１，２０  情報提示制御装置
２  操作入力装置
３  表示装置
４  音声提示装置
５  割込情報出力装置
６  ルート探索部
１１  操作入力判断部
１２  表示メニュー作成部
１３  割込情報解析部
１４  割込判断部
１５  情報割込処理部
１６  メニュー構造変更・保存部
２１  ルート距離比較部
【図１】
2004251757.tif 000003
【図２】
2004251757.tif 000004
【図３】
2004251757.tif 000005
【図４】
2004251757.tif 000006
【図５】
2004251757.tif 000007
【図６】
2004251757.tif 000008